(57)【要約】【課題】槽体内面との間に生じる隙間・段差を低減し、清掃性よく排水器具を接続できる排水接続器具を提供する【解決手段】排水口を有する槽体と、排水管とを接続する排水接続器具であって、前記排水接続器具は内部が排水を通す筒状部と、前記筒状部の上端から外方へ延出したフランジ部と、を備え、前記フランジ部は少なくともその外周縁全周に可撓部を備え、前記可撓部は、可撓性を有する程度に薄く、前記可撓部は、前記槽体に取り付けられた状態で、前記槽体の内面と接触し変形することを特徴とする排水接続器具を提供する。【選択図】図５
2011241594.tif 000002
【特許請求の範囲】
【請求項１】
排水口を有する槽体と、排水管とを接続する排水接続器具であって、
前記排水接続器具は内部が排水を通す筒状部と、
前記筒状部の上端から外方へ延出したフランジ部と、を備え、
前記フランジ部は少なくともその外周縁全周に可撓部を備え、
前記可撓部は、可撓性を有する程度に薄く、
前記可撓部は、前記槽体に取り付けられた状態で、前記槽体の内面と接触し変形することを特徴とする排水接続器具
【請求項２】
前記フランジ部は前記槽体の前記排水口に向かって傾斜する傾斜面と当接し、
前記フランジ部の外径は前記傾斜面の最大内径より小さく、最小内径より大きいことを特徴とする請求項１に記載の排水接続器具
【請求項３】
前記排水接続器具は、前記可撓部の変形量を規制する規制手段を有することを特徴とする
【請求項４】
前記変形量規制手段として、
前記排水接続器具の下方向への移動を規制する移動量規制手段をゆうする
【請求項５】
前記移動量規制手段として、前記フランジ部より下方に当接部を有し、
前記当接部は硬質部材からなり、
前記当接部の外径が前記フランジ部の外径より小さいことを特徴とする請求項２に記載の排水接続器具
【請求項６】
前記可撓部が弾性を有することを特徴とする請求項１〜３のいずれか一項に記載の排水接続器具
【請求項７】
前記フランジ部は、その下方に位置する埋設部材と一体的に成型され、
少なくとも前記埋設部材の一部が前記筒状部に埋設され
前記埋設部材の下端に、鉛直でない方向に折り曲げられた折曲げ部を有することを特徴とする請求項１〜５
【発明の詳細な説明】
【技術分野】
【０００１】
本発明は、洗面化粧台や手洗器、キッチンシンク、浴槽などの槽体への排水接続器具に関する発明である。
【背景技術】
【０００２】
従来、洗面ボウル（槽体）のボウル底面部に排水口を設け、この排水口に排水トラップなどと接続するための排水接続器具が知られている。この種の排水接続器具としては、前記排水接続器具の上端のフランジ部が排水口面と略面一に配置された排水接続器具が排水口に挿通され、排水接続器具の下方に排水トラップを接続しているものが提案されている。
【０００３】
このとき、排水接続器具の取付けた場合に、フランジの厚みによって、槽体内面と段差が生じることを防止するために、槽体に段部を設け、そこにフランジを取り付ける構造をとることが知られている。（例えば、特許文献１）
このような場合は、段部とフランジの間に隙間が生じてしまい、この隙間に水が滞留することによる水垢がしたり、ゴミのつまり、たまりが発生するという課題があった。また隙間が細かいために、つまった水垢やゴミを除去することが難しいという課題も存在した。
【０００４】
また、槽体の底面にテーパー面を設け、その内面にフランジを当接させる構造も提案されている（例えば、特許文献２）
この場合であっても、槽体の内面（テーパー面）とフランジが当接する部分に入隅が生じ、ここに水が滞留し、水垢が発生したり、ゴミのつまり、たまりが発生するという課題があった。さらに、入隅があるため、スポンジなどの清掃具が入り難く、清掃性が悪いという課題も存在した。
【先行技術文献】
【特許文献】
【０００５】
【特許文献１】特開平１０−１３１２５４
【特許文献２】特開平１１―１００８８０
【発明の概要】
【発明が解決しようとする課題】
【０００６】
本発明は、上記問題を解決するためになされたもので、本発明の課題は、槽体内面との間に生じる隙間・段差を低減し、清掃性のよい排水接続器具を提供することである。
【課題を解決するための手段】
【０００７】
上記目的を達成するための請求項１記載の発明によれば、排水口を有する槽体と、排水管とを接続する排水接続器具であって、前記排水接続器具は内部が排水を通す筒状部と、前記筒状部の上端から外方へ延出したフランジ部と、を備え、前記フランジ部は少なくともその外周縁全周に可撓部を備え、前記可撓部は、可撓性を有する程度に薄く、前記可撓部は、前記槽体に取り付けられた状態で、前記槽体の内面と接触し変形することを特徴とする排水接続器具が提供される。
これによれば、フランジ部の外周部を可撓性を有する程度に薄くし、変形させることによって、取り付けた状態において槽体内面との間に入隅が発生せず、水が滞留せずに排水口へ流れやすくなる。つまり、段差や隙間に水が溜まることによる水垢の発生を抑えることが可能となる。また、水が流れやすくなることによって、ゴミのたまりを低減することができる。さらに、水垢やゴミがたまった場合においても、スポンジなどの清掃用具が届きやすく、すぐに清掃することが可能となる。
【０００８】
また、請求項２記載の発明によれば、前記フランジ部は前記槽体の前記排水口に向かって傾斜する傾斜面と当接し、前記フランジ部の外径は前記傾斜面の最大内径より小さく、最小内径より大きいことを特徴とする排水接続器具が提供される。
これにより、槽体の傾斜面との当接によって可撓部を変形させることが可能となる。また、槽体内面が起立した垂直面である場合と比較して、より水の滞留を防止することが可能となり、前述の防汚性能が向上する。
【０００９】
また、請求項３記載の発明によれば、前記排水接続器具は、前記可撓部の変形量を規制する規制手段を有することを特徴とする排水接続器具が提供される。
これにより、槽体内面との接続において好ましい量だけ変形させることが可能となる。また、可撓部が許容量を超えて変形し、破損してしまう問題を防止することが出来る。
【００１０】
また、請求項４記載の発明によれば、前記変形量規制手段として、前記排水接続器具の下方向への移動を規制する移動量規制手段を有することを特徴とする排水接続器具が提供される。
これにより、可撓部の変形量を規制すると同時に、排水接続器具の移動量を規制することが可能となり、槽体から排水接続器具が脱落してしまうことを防止できる。
【００１１】
また、請求項５記載の発明によれば、前記移動量規制手段として、前記フランジ部より下方に当接部を有し、前記当接部は硬質部材からなり、前記当接部の外径が前記フランジ部の外径より小さいことを特徴とする排水接続器具が提供される。
これによれば、当接部と槽体が接触することによって、排水接続器具の下方への移動を規制することが可能になる。これにより、簡易な構造によって、可撓部の変形量を規制できる。
【００１２】
また、請求項６記載の発明によれば、前記可撓部が弾性を有することを特徴とする請求項１〜３のいずれか一項に記載の排水接続器具が提供される。
これによれば、可撓部が弾性を有することによって、変形時に復元力が発生する。この復元力によって、可撓部が槽体へ押し付けられ、より隙間を低減することが可能となる。
【００１３】
また、請求項７記載の発明によれば、前記フランジ部は、その下方に位置する埋設部材と一体的に成型され、少なくとも前記埋設部材の一部が前記筒状部に埋設され、前記埋設部材の下端に、鉛直でない方向に折り曲げられた折曲げ部を有することを特徴とする排水接続器具が提供される。
これによれば、フランジ部に上向きの力が働いた場合であっても、排水接続器具から脱落してしまうことが防止できる。
【００１４】
また、請求項８記載の発明によれば、請求項１乃至７の何れか１項に記載の排水接続器具が陶器製の前記槽体に取り付けられる排水機器接続構造が提供される。
槽体が陶器製の場合、樹脂製や金属製の槽体と比較して寸法精度を高めることが難しい。その場合であっても、フランジ部の外周に可撓部を備えたことにより、槽体の内面の寸法精度が悪い、あるいはがたついているような状態においても隙間なく取り付けることが可能となり、前述の防汚性能、清掃性能を確保することが可能となる。
【発明の効果】
【００１５】
本発明によれば、槽体内面との間に生じる隙間・段差を低減し、清掃性のよい排水接続器具とすることができるという効果がある。
【図面の簡単な説明】
【００１６】
【図１】本発明の実施例に係る洗面化粧台を示す斜視図である。
【図２】本発明の実施例に係る洗面化粧台を示す断面図である。
【図３】本発明の実施例に係る排水接続器具の半断面図である。
【図４】本発明の実施例に係る排水接続器具のフランジ部の詳細図である。
【図５】本発明の実施例に係る排水接続器具の半断面図である。
【図６】図５におけるＡ部付近の詳細図である。
【図７】本発明の実施例に係る排水接続器具の接続受け部の詳細図である。
【図８】本発明の実施例に係る排水接続器具の上面図である。
【図９】本発明の実施例に係る排水接続器具の下面図である。
【発明を実施するための形態】
【００１７】
以下、図面を用いて本発明の一実施例について詳細な説明を行う。
図１は、本発明の実施例に係る洗面化粧台１を斜め上方から見た斜視図である。
洗面化粧台１は内部に様々な物品を収納することができるキャビネット部３と、このキャビネット部３に載置される洗面ボウル２（槽体）とから構成される。洗面ボウル２は、その後方からに一体に上方に立ち上げたバックガード２４を備えている。バックガード２４の上部に載置される水栓取付けパネル２２には、水栓金具８と水栓ハンドル２３が取付けられている。
【００１８】
また、水栓金具８から洗面ボウル２へ向けて吐水された水を排水するために、排水口９が洗面ボウル２の底面に備わっている。このとき、洗面ボウル２はその底面に、排水口９へ向かって傾斜する排水口傾斜１１（傾斜面）を備える。
このとき、排水口９には、排水を停止し、洗面ボウル２に水を貯めるための排水栓１０が取り付けられる
洗面ボウル２は周辺部材と一体に成型してもよいし、複数部材で構成してもよい。水栓金具８を取付けるバックガード２４は、洗面ボウル２と別部材の構成で説明をしたが、一体に成型してもよい。また、洗面ボウル２の材質は樹脂や陶器、ステンレスなど、特に限定されるものではない。さらに、洗面ボウル２は陶器、バックガード２４は樹脂など複数の材料から構成してもよい。
【００１９】
図２は、本発明の実施例に係る洗面化粧台１の断面図、図３はその詳細図である。
洗面ボウル２の底面には、排水接続器具４が前記排水接続器具４は排水口９に上方から挿入される形で取り付けられている。排水接続器具４は、その内部に排水を通過させるために、全体として筒状となっている。排水接続器具４は、ナットＡ１３を排水接続器具４の下方からしめることによって、洗面ボウル２の底面を挟み込む形で接続・固定される。このとき、排水接続器具４とナットＡ１３の間にパッキン１２を取付ける。このパッキン１２により、排水接続器具４とナットＡ１３の間は水密に保持される。
排水栓１０は、排水接続器具４に洗面ボウル２側から下方に向けて挿通され排水接続器具４の上面に配置される。排水接続器具４は排水トラップ６を介して、排水管７と接続される。排水接続器具４の上方にはフランジ部材５があり、前記フランジ部材５には、可撓部５２が備えられている。
【００２０】
図４に図３における可撓部５２近傍のさらに詳細な断面図を示す。
洗面ボウル２はその底面に設けられた排水口９へ向かって傾斜する、排水口傾斜１１を有する。排水接続器具４を排水口９に挿通するとフランジ５１（フランジ部）は槽体２の排水口傾斜１１に当接される。下方よりナットＡ１３を締め付けることで、フランジ５１が排水口傾斜１１に押し付けられて排水口傾斜１１に沿って変形していく。これにより、フランジ５１と排水口傾斜１１との間の隙間が従来技術よりも低減され、清掃性が向上する。
また、ナットＡ１３を一定量締め付けたところで、当接部２８が排水口傾斜１１と接触する。これにより、排水接続器具４はそれ以上下方へ移動することが規制され、同時にフランジ５１の変形も規制される。
【００２１】
図５は、本発明の実施例に係る排水接続器具の半断面図である。
排水接続器具４は、その上面外周にフランジ部材５を有する。フランジ部材５は薄い金属から構成されており、弾性及び可撓性を有する（可撓部５２）。排水接続器具４は略筒状の形状をしており、筒の外壁にはフランジ５１よりも下方に位置する排水接続器具傾斜１５と、排水接続器具４を洗面ボウル２に固定するためのおねじ１７が形成されている。
このとき、フランジ部材５の外周は好ましくは１ｍｍ以下、さらに好ましくは０．４mm以下である。このような厚さとすることで、ナットＡ１３の締め付けを人間の手によって行う場合であっても、十分に可撓性を有することが可能となる。また、槽体内面と接続した場合において、大きな入隅が発生することを防止することができる。これにより、清掃性がさらに向上する。
なお、排水接続器具４の内面は排水が流入する上面がもっとも広い径をもち、排水トラップ６と接続される径へむかって傾斜する内径を有している。
【００２２】
図６は、図５におけるＡ部付近の詳細図である。
フランジ部材５はその上部にフランジ５１を、その下端にフランジ折曲げ部１９（折曲げ部）を有し、その間は筒状のフランジ筒部２６（埋設部材）となっている。フランジ筒部２６の上部は、排水接続器具４の内径に併せて、下方へいくほど径が小さくなるような傾斜を有している。また、フランジ筒部２６の下端は、外側へ向かって折り返されたフランジ折曲げ部１９を有している。このとき、フランジ部材５を埋め込むように成型することによって、フランジ折曲げ部１９が排水接続器具４によって挟み込まれるような構造となる。つまり、フランジ部材５に上向きの力がかかった場合においても、その下方のフランジ折曲げ部１９が排水接続器具４によって押さえつけられ、フランジ部材５が排水接続器具４から脱落してしまう可能性を低減できる。同時に、フランジ部材５に引張りテンションがかかることになり、フランジ５１には下向きの力が発生することになる。これにより、排水口９付近の寸法精度がわるく、がたついている場合でも隙間無く接することができる。
【００２３】
また、フランジ折曲げ部１９により排水接続器具４を洗面ボウル２に接続する際にフランジ５１が変形を起こしやすく、またフランジ５１が排水口傾斜１１に接続する際にフランジ５１と排水口傾斜１１に隙間を生じることなく、より密接に取付けが可能になる。
フランジ５１の外周は排水器具傾斜１５のほぼ直線延長上に位置し、当接部２８よりも外形が大きくなっている。
【００２４】
図７は、本発明の実施例に係る排水接続器具の接続受け部の詳細図である。
排水接続器具内壁２０には接続受け部１６が設けられている。接続受け部１６の裏面には接続受け係止部２１が設けられている。接続受け係止め部２１により排水接続器具４の下方に接続する排水トラップ６を差し込みやすく、また固定しやすくしている。図示しないが排水トラップ６上面に設けた凸部が接続受け係り止め部２１に当節することで、排水トラップ６を組み付ける際の回転防止とすることができ、また排水トラップ６を組み付ける際の位置決めとすることも可能になる。
【００２５】
図８は、本発明の実施例に係る排水接続器具の上面図である。
排水接続器具４の外周にフランジ５１が形成され、フランジ５１の内側に排水接続器具内壁２０があり、排水接続器具内壁２０の内側に接続受け部１６が形成されている。
【００２６】
図９は、本発明の実施例に係る排水接続器具の下面図である。
接続受け部１６は円周状に形成され、接続受け部１６と排水接続器具内壁２０の間に排水トラップ６の上面を受けるようになっている。排水トラップ６の上面には円周上にトラップ接続凹凸部２７が形成され、接続受け係止部２１に当接し、位置決め及びトラップ６接続時にナットＢ１８を締め付ける際の回転止めとして作用する。本実施例では、トラップ凹凸接続部２７は略ノコギリ歯形状としたが、形状についてはこの限りではない。
【００２７】
なお、本実施例においては洗面ボウルに本発明を適用した事例を説明するが、本発明が適用される槽体は洗面ボウルに限らず、手洗器、キッチンシンク、浴槽などに適用することが可能である。
また、本実施例において、排水接続器具４と排水トラップ６、排水管７をそれぞれ別体として構成した例を説明したが、これらは一体的に構成されていてもよい。排水トラップ６としては、実施例において説明したものに限らず様々な種類の排水トラップが好適に利用でき、省略することも可能である。
【符号の説明】
【００２８】
１…洗面化粧台
２…洗面ボウル（槽体）
３…キャビネット部
４…排水接続器具
５…フランジ部材
５１…フランジ
５２…可撓部
６…排水トラップ
７…排水管
８…水栓金具
９…排水口
１０…排水栓
１１…排水口傾斜
１２…パッキン
１３…ナットＡ
１４…ヘアキャッチャー
１５…排水接続器具傾斜
１６…接続受け部
１７…おねじ
１８…ナットＢ
１９…フランジ折曲げ部
２０…排水接続器具内壁
２１…接続受け係止部
２２…水栓取付けパネル
２３…水栓ハンドル
２４…バックガード
２５…排水口出口
２６…フランジ筒部
２７…トラップ接続凹凸部
２８…当接部
【図１】
2011241594.tif 000003
【図２】
2011241594.tif 000004
【図３】
2011241594.tif 000005
【図４】
2011241594.tif 000006
【図５】
2011241594.tif 000007
【図６】
2011241594.tif 000008
【図７】
2011241594.tif 000009
【図８】
2011241594.tif 000010
【図９】
2011241594.tif 000011